(57)【要約】      （修正有）【課題】男性用避妊具の携帯に、保護、保存に適した男性用避妊具携帯容器を提供する。【解決手段】男性用避妊具携帯容器１０は、コンドーム包装体収納部を有する容器本体と蓋体１を有する。前記容器本体と前記蓋体１とはヒンジ２により接続されていて、このヒンジ２により前記容器本体と前記蓋体１とを開閉することができる。一方、前記容器本体の一端には吊り部材固定片３が形成されている。前記吊り部材固定片３には吊り部材５を通すための孔が設けられている。この孔に金属製リング４を介して、金属線７を中心に通した複数の金属球６が環状に設置されている。前記金属線７を中心に通した複数の金属球６の両端が、金属管８を押圧変形することにより固定されていて、金属球６、金属線７および金属管８の全体が環状構造を形成している。【選択図】図１
0003149119.tif 000002
【実用新案登録請求の範囲】
【請求項１】
コンドーム包装体収納部を有する容器本体と、前記容器本体の後部にヒンジを介して開閉可能に取り付けられた蓋体とを備えたことを特徴とする、男性用避妊具用携帯容器。
【請求項２】
コンドーム包装体収納部を有する容器本体と、前記容器本体の後部にヒンジを介して開閉可能に取り付けられた蓋体とを備え、
この容器本体と蓋体とに設けた係合部と係合受部との係合により、蓋体を容器本体に係合閉止可能としたことを特徴とする、男性用避妊具携帯容器。
【請求項３】
環状部を有する吊り部材と、
前記容器本体および前記蓋体の少なくとも一方に、前記吊り部材を通すための孔を有する吊り部材固定片とを備えた、請求項１または請求項２に記載の男性用避妊具携帯容器。
【考案の詳細な説明】
【技術分野】
【０００１】
本考案は、コンドーム包装体を携帯するための男性用避妊具携帯容器に関する。
【背景技術】
【０００２】
これまで性教育等の性に関する問題を公の場で扱うことは道徳面、情操面等の観点から避けられるのが通常であった。
特に避妊具の携帯を奨励することは、避妊具の携帯自体が性交渉を予定していることから若年層の不必要な性交渉を奨励することにもつながりかねない。このことから一部の場合を除いてこれまで避妊具の携帯について積極的に推奨されてこなかったのが実情である。
【０００３】
この一方、性病や妊娠等に悩む青少年の数は無視できない水準に達しているのも実情である。性の問題に直面した場合でも周囲に相談できる環境が整っていればよいが、実際には各種専門機関への相談が遅れることがあり、適切な時期に適切な手当を受けることができない場合がある。これが原因となって若年層の性病が蔓延していることも社会問題となっている。
さらに感染者本人がＨＩＶ（ヒト免疫不全ウイルス）等に感染していることに全く気が付かず、感染が広がる問題もある。
特にＨＩＶ等の問題は個人により対処できる問題の枠を越えていて、現状を放置すると各種医療機関や厚生関連機関の人員予算等をさらに圧迫する要因にも今後つながりかねない。
この様な観点から、不必要な性交渉を奨励するものではないが、性交渉の際には避妊具を着用する習慣を付けようとする呼びかけがようやく始まってきたところである。
【０００４】
ところで男性用避妊具携帯容器の従来の技術として、カード型のコンドーム容器が提案されている。この容器はカード型であり財布に入れて持ち運ぶことができるとされる（特許文献１）。
しかしながらこの考案は、コンドームを直接財布に入れて保存すると財布にコンドームの形が転写されるため人前で財布が使えなくなるとの問題を解決するためのものであり、男性用避妊具の携帯を隠すことを主目的とするものであった。
【特許文献１】実用新案登録第３１３６２６３号公報
【考案の開示】
【考案が解決しようとする課題】
【０００５】
本考案の目的は、男性用避妊具の携帯を奨励することを目的とするものであり、ベルト、衣服のポケット孔、携帯電話ストラップ等に簡単に装着して容易に携帯することができ、日常的に身に付けることができ、コンドームの保護や保存に適した構造の男性用避妊具携帯容器を提供することにある。
【課題を解決するための手段】
【０００６】
上記課題を解決すべく本考案者が鋭意検討した結果、コンドーム包装体収納部を有する容器本体と、前記容器本体の後部にヒンジを介して開閉可能に取り付けられた蓋体とを備えた男性用避妊具携帯容器が本考案の目的に適うことを見出し、本考案を完成するに至った。
【０００７】
すなわち本考案は、
［１］コンドーム包装体収納部を有する容器本体と、前記容器本体の後部にヒンジを介して開閉可能に取り付けられた蓋体とを備えたことを特徴とする、男性用避妊具携帯容器を提供するものである。
【０００８】
また本考案は、
［２］コンドーム包装体収納部を有する容器本体と、前記容器本体の後部にヒンジを介して開閉可能に取り付けられた蓋体とを備え、
この容器本体と蓋体とに設けた係合部と係合受部との係合により、蓋体を容器本体に係合閉止可能としたことを特徴とする、男性用避妊具携帯容器を提供するものである。
【０００９】
また本考案は、
［３］環状部を有する吊り部材と、
前記容器本体および前記蓋体の少なくとも一方に、前記吊り部材を通すための孔を有する吊り部材固定片とを備えた、上記［１］または［２］に記載の男性用避妊具携帯容器を提供するものである。
【考案の効果】
【００１０】
本考案によれば、市販のコンドーム包装体の１個〜４個、もしくは５個以上のコンドーム包装体を容易に携帯でき、特に２個〜３個のコンドーム包装体を容易に携帯することができる。また前記コンドーム包装体は、男性用避妊具携帯容器の容器本体と蓋体により保護されているため衛生的であり、携帯中に傷やピンホール等の欠陥が生じることがなく、安心して使用することができる。
【００１１】
また本考案の男性用避妊具携帯容器はストラップ、リング、カラビナ等の環状の吊り部材を有することから、携帯電話、衣服のポケット孔、ベルト等に装着し、容易に携帯して持ち運ぶことができ、日常的に男性用避妊具を携帯する習慣を付けることができる。
【考案を実施するための最良の形態】
【００１２】
以下に本考案について実施例に基づき図面を参照しつつ詳細に説明するが、本考案はこれらの実施例により何ら限定されるものではない。
【実施例１】
【００１３】
図１は本考案である第一の実施態様を説明するための正面図である。
本考案の男性用避妊具携帯容器１０は、コンドーム包装体収納部を有する容器本体と蓋体１を有する。
図１では蓋体１の裏側に前記容器本体が配置されている。
【００１４】
前記蓋体１は、縦と横の長さが同じであり周辺部が丸みを帯びた形状となっている。前記容器本体と前記蓋体１とは隙間なくはめ合わせることができる構造となっていて、内部にコンドーム包装体を収容することができる。
【００１５】
また、前記容器本体と前記蓋体１とはヒンジ２により接続されていて、このヒンジ２により前記容器本体と前記蓋体１とを開閉することができる。
【００１６】
一方、前記容器本体の一端には吊り部材固定片３が形成されている。前記吊り部材固定片３には吊り部材５を通すための孔が設けられている。この孔に金属製リング４を介して、金属線７を中心に通した複数の金属球６が環状に設置されている。前記金属線７を中心に通した複数の金属球６の両端が、金属管８を押圧変形することにより固定されていて、金属球６、金属線７および金属管８の全体が環状構造を形成している。
【００１７】
第一の実施態様の場合には、前記吊り部材５は、金属製リング４、金属球６、金属線７および金属管８により形成されているが、前記吊り部材５の構成は目的、用途により適宜変更することが可能である。
【００１８】
前記吊り部材５に金属リングや紐等を介して前記金属リングや紐等を携帯電話、携帯電話ストラップ、衣服のポケット孔、ベルト等にさらに通すことにより、容易にコンドーム包装体を携帯することができる。
【００１９】
図２は本考案である第一の実施態様を説明するための側面図である。なお図２における参照符号の意味は図１の場合と同じである。
【００２０】
コンドーム包装体収納部を有する容器本体９も前記蓋体１と同じく、縦と横の長さが同じであり周辺部が丸みを帯びた形状となっている。
【００２１】
なお、前記容器本体９と前記蓋体１との形状は、コンドーム包装体を収納できる形状であれば特に限定はなく、適宜変更した形状のものを使用することができる。
【００２２】
前記容器本体９と前記蓋体１との材質に特に限定はないが、樹脂製、金属製等のものであれば好ましい。
本考案に使用する樹脂としては、例えば、ポリエチレン、ポリプロピレン、ポリエチレンテレフタレート、ポリブチレンテレフタレート、ポリスチレン、シリコーン等の合成樹脂であればさらに好ましい。
また本考案に使用する金属としては、例えば、鉄、アルミニウム、銅、金、銀等の他、真ちゅう等の合金等も好ましく使用することができる。
本考案の第一の実施態様では、前記吊り部材５は金属製であり、それ以外の部分は樹脂製となっている。
【００２３】
図３は本考案である第一の実施態様を説明するためのものであり、容器本体と蓋体とを１８０度開いた状態を上から見下ろした模式図である。なお図３における参照符号の意味は図１および図２の場合と同じである。また説明の便宜上、吊り部材固定片３に連結される吊り部材の記載は省略してある。
【００２４】
図３に示した前記容器本体９と前記蓋体１とはそれぞれ皿状構造を有している。前記容器本体９の皿状構造外周端面には突起状の外周枠１１が形成されている。また前記蓋体１の皿状構造外周端面内側には前記突起状の外周枠１１とはめ合わされるための受容段差１２が形成されている。
【００２５】
また前記容器本体９と前記蓋体１とはヒンジ２により連結されている。前記ヒンジ２は樹脂製であり、中央部分により折り返すことができる。前記ヒンジ２を折り返すことにより、前記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００２６】
一方、前記容器本体９の皿状構造外周端面内側には凸形状を有する係合部１４が形成されていて、前記蓋体１の皿状構造外周端面内側には凹形状を有する係合受部１３が形成されている。
【００２７】
前記凸形状を有する係合部１４と前記凹形状を有する係合受部１３が係合することにより、前記容器本体９と前記蓋体１とが係止され、内部にコンドーム包装体を収納することができる。
【００２８】
第一の実施態様の場合には凸形状を有する係合部１４および凹形状を有する係合受部１３を備えた男性用避妊具携帯容器について説明したが、この係合部１４および係合受部１３の変形例として、例えば、粘着テープ等を使用したり、突起部にゴム等の弾性帯を掛けたりすること等によって前記容器本体９と前記蓋体１とを閉じた状態に維持すること等も可能である。
【００２９】
また前記容器本体９の一端には、図１により説明した吊り部材固定片３が形成されている。前記吊り部材固定片３には吊り部材を通すための孔が設けられていて、前記吊り部材固定片３に吊り部材を設置することができる（図１参照）。
【００３０】
図４は男性用避妊具であるコンドーム包装体を示した模式斜視図である。
前記コンドーム包装体１００は公知であり、その品質規格はＪＩＳ等により定められている。
図４に示したコンドーム包装体１００は、樹脂コートアルミニウム箔等によりコンドームが包装されているものである。
図１〜３により示した本考案の第一の実施態様により、このコンドーム包装体１００を容易に携帯することができる。
【実施例２】
【００３１】
次に本考案の変形例である第二の実施態様について説明する。
図５は、本考案である第二の実施態様を説明するための正面図である。
本考案の男性用避妊具携帯容器２０は、第一の実施態様の場合と同様にコンドーム包装体収納部を有する容器本体と蓋体１を有する。
【００３２】
図５では蓋体１の裏側に前記容器本体が位置する。
前記蓋体１は、縦と横の長さが同じであり、四つの角に位置する外周部が曲線形状となっている。前記容器本体と前記蓋体１とは隙間なくはめ合わせることができる構造となっていて、内部にコンドーム包装体を収容することができる。
【００３３】
また、前記容器本体と前記蓋体１とはヒンジ２００により接続されていて、このヒンジ２００により前記容器本体と前記蓋体１とを開閉することができる。
このヒンジ２００は、吊り部材固定片としての機能を兼ねている。
【００３４】
前記蓋体１の上端にＴ字状のヒンジ用開閉軸２２が形成されている。このヒンジ用開閉軸２２は吊り部材５００を通すための孔２３が設けられている。
【００３５】
一方、ヒンジ用開閉軸受入孔を備えた受部２１が前記ヒンジ用開閉軸２２の軸を両端から固定していて、前記ヒンジ用開閉軸２２を中心に前記蓋体１が前記容器本体に対して開閉可能に接続されている。
【００３６】
また前記ヒンジ用開閉軸２２に設けられた孔２３に金属製リング２４を介して、Ｕ字状支持部２５と円盤状本体２６とを備える下側回転具ならびにＵ字状支持部２７と円盤状本体２８とを備える上側回転具が接続されている。
【００３７】
前記下側回転具には前記円盤状本体２６の中心に中心軸が設けられていて、この中心軸が前記上側回転具の前記円盤状本体２８の中心孔を貫いていて、それぞれ前記下側回転具と上側回転具が独立して回転可能な状態で接続されている。
【００３８】
前記上側回転具のＵ字状支持部２７に金属製リング２９を介して吊り掛け部３０と閉鎖片３１に接続されている。
前記閉鎖片３１はバネ・金属片等を利用して吊り掛け部３０に開閉可能に押しつけられている。
【００３９】
この閉鎖片３１を用いることにより、金属リングや紐等を介して前記金属リングや紐等を携帯電話、携帯電話ストラップ、衣服のポケット孔、ベルト等にさらに通すこと等により、容易にコンドーム包装体を携帯することができる。
【００４０】
図６は本考案である第二の実施態様を説明するための側面図である。なお図６における参照符号の意味は図５の場合と同じである。
コンドーム包装体収納部を有する容器本体９も前記蓋体１と同じく、縦と横の長さが同じであり四つの角に位置する外周部が曲線形状となっている。
【００４１】
なお、前記容器本体９と前記蓋体１との形状は、コンドーム包装体を収納できる形状であれば特に限定はなく、適宜変更した形状のものを使用することができる。
前記容器本体９と前記蓋体１の素材は第一の実施態様の場合と同様である。
【００４２】
図７は本考案である第二の実施態様を説明するための模式斜視図である。なお図７における参照符号の意味は図５および図６の場合と同じである。また説明の便宜上、吊り部材固定片２００に連結される吊り部材の記載は省略してある。
【００４３】
図７に示した前記容器本体９と前記蓋体１とはそれぞれ皿状構造を有している。前記容器本体９の皿状構造外周端面には突起状の外周枠１１が形成されている。また前記蓋体１の皿状構造外周端面内側には前記突起状の外周枠１１とはめ合わされるための受容段差１２が形成されている。
【００４４】
また前記容器本体９と前記蓋体１とはヒンジ２００により連結されている。前記蓋体１の上端にＴ字状のヒンジ用開閉軸２２が形成されている。このヒンジ用開閉軸２２には吊り部材５００を通すための孔２３が設けられている。
【００４５】
一方、ヒンジ用開閉軸受入孔を備えた受部２１が前記ヒンジ用開閉軸２２の軸を両端から固定していて、前記ヒンジ用開閉軸２２を中心に前記蓋体１が前記容器本体に対して開閉可能に可動するように接続されている。
【００４６】
前記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００４７】
一方、前記容器本体９の皿状構造外周端面外側には半球状の係合部３３が形成されていて、前記蓋体１の皿状構造外周の一端に突出する係合受部３２が形成されている。
【００４８】
前記半球状の係合部３３と受入孔を有する係合受部３２が係合することにより、前記容器本体９と前記蓋体１とが係止され、内部にコンドーム包装体を収納することができる。
また前記ヒンジ用開閉軸２２は吊り部材５００を通すための孔２３が設けられていることから、前記吊り部材固定片に吊り部材５００を設置することができる（図５参照）。
【実施例３】
【００４９】
次に本考案の変形例である第三の実施態様について説明する。
図８は、本考案である第三の実施態様を説明するための正面図である。
【００５０】
この第三の実施態様は、先の第二の実施態様のヒンジ並びに係合部３３および係合受部３２が、容器本体９および蓋体１の四つの角のうち、対角線上の二つの角に設置されている他は先の第二の実施態様の場合と同様である。
【００５１】
図９は本考案である第三の実施態様を説明するための側面図である。なお図９における参照符号の意味は図８の場合と同じである。
【００５２】
コンドーム包装体収納部を有する容器本体９も前記蓋体１と同じく、縦と横の長さが同じであり四つの角に位置する外周部が曲線形状となっている。
【００５３】
図１０は  本考案である本考案第三の実施態様を説明するための模式斜視図である。なお図１０における参照符号の意味は図８および図９の場合と同じである。また説明の便宜上、吊り部材固定片２００に連結される吊り部材の記載は省略してある。
【００５４】
ヒンジ並びに係合部３３および係合受部３２の位置を先の第二の実施態様の場合と同様、容器本体９および蓋体１の四つの角のうち、対角線上の二つの角に設置した場合でも記容器本体９の皿状構造外周端面に形成された突起状の外周枠１１と前記蓋体１の皿状構造外周端面内側に形成された前記受容段差１２とが略隙間無く互いにはめ合わされることにより、位置ずれを起こすことなく前記容器本体９と前記蓋体１とを開閉することができる。
【００５５】
また前記半球状の係合部３３と受入孔を有する係合受部３２が係合することにより、前記容器本体９と前記蓋体１とが係止され、内部にコンドーム包装体を収納することができる点や、前記ヒンジ用開閉軸２２は吊り部材５００を通すための孔２３が設けられていることから、前記吊り部材固定片に吊り部材５００を設置することができる点も先の第二の実施態様の場合と同様である。
【００５６】
本考案の男性用避妊具携帯容器は携帯に適していることから日常的に身に付けることが容易であり、男性用避妊具を使用しないことによる弊害を軽減させることができる。
【００５７】
また本考案の男性用避妊具携帯容器の容器本体や蓋体にキャラクター画像等を掲載したシール等を貼付する等の構造によりファッション性に優れた形状とすることが可能であり、特に若年層に対する男性用避妊具の携帯促進に資することができる。
【図面の簡単な説明】
【００５８】
【図１】本考案である第一の実施態様を説明するための正面図である。
【図２】本考案である第一の実施態様を説明するための側面図である。
【図３】本考案である第一の実施態様を説明するための模式図である。
【図４】男性用避妊具であるコンドーム包装体を示した模式斜視図である。
【図５】本考案である第二の実施態様を説明するための正面図である。
【図６】本考案である第二の実施態様を説明するための側面図である。
【図７】本考案である第二の実施態様を説明するための模式斜視図である。
【図８】本考案である第三の実施態様を説明するための正面図である。
【図９】本考案である第三の実施態様を説明するための側面図である。
【図１０】本考案である本考案第三の実施態様を説明するための模式斜視図である。
【符号の説明】
【００５９】
１    蓋体
２、２００    ヒンジ
３    吊り部材固定片
４、２４    金属製リング
５、５００    吊り部材
６    金属球
７    金属線
８    金属管
９    容器本体
１０、２０、４０  男性用避妊具携帯容器
１１    突起状の外周枠
１２    受容段差
１３、３２    係合受部
１４、３３    係合部
２１    ヒンジ用開閉軸受入孔を備えた受部
２２    Ｔ字状のヒンジ用開閉軸
２３    孔
２５、２７    Ｕ字状支持部
２６、２８    円盤状本体
１００    コンドーム包装体
【図１】
0003149119.tif 000003
【図２】
0003149119.tif 000004
【図３】
0003149119.tif 000005
【図４】
0003149119.tif 000006
【図５】
0003149119.tif 000007
【図６】
0003149119.tif 000008
【図７】
0003149119.tif 000009
【図８】
0003149119.tif 000010
【図９】
0003149119.tif 000011
【図１０】
0003149119.tif 000012